(57)【要約】      （修正有）【課題】隣接する遊技機の盤面を開放した場合に干渉したり、隣接する遊技機を取り外すような場合に邪魔にならないと共に、隣接する遊技機で遊技する遊技者が喫煙をした場合であっても有効にタバコの煙を遮断して、非喫煙者である遊技者の遊技環境を確保することが可能な分煙ボードを提供する。【解決手段】複数の遊技機が並列して配設された島設備において遊技機間に配置され、ボード本体１１と、ボード本体１１を支持するフレーム部１２とを備え、隣接する遊技機からの煙草の煙の流入を防止すると共に必要時にはボード本体１１を遊技機の前方斜め上方へ回動して配置させうる分煙ボード１０であって、フレーム部１２には、遊技機間に配置されて隣接する遊技機との間に配置された場合に遊技機間に設けられた島設備の柱にスライド可能に当接して隣接する遊技機との間をボード本体１１と共に遮蔽するスライド遮蔽板２０を有する。【選択図】図１０
2016112347.tif 000002
【特許請求の範囲】
【請求項１】
複数の遊技機が並列して配設された島において遊技機間に配置され、ボード本体と、前記ボード本体を支持するフレーム部とを備え、隣接する遊技機からの煙草の煙の流入を防止すると共に必要時にはボード本体を遊技機の前方斜め上方へ回動して配置させうる分煙ボードであって、前記ボード本体は前記フレーム部に着脱可能に固定されていることを特徴とする分煙ボード。
【請求項２】
上記フレーム部は、前記ボード本体の前端部に固定され、遊技機の高さ方向に沿って配置されるフレーム本体と、前記フレーム本体の上端部に固定されフレーム本体を島設備に上下方向に回動可能に固定する回動固定具とを備え、前記フレーム本体は遊技機間に設けられた前記島設備の柱に近接又は当接するように構成されていることを特徴とする請求項１に記載の分煙ボード。
【請求項３】
前記フレーム部には係合部が設けられると共に前記ボード本体前縁部には前記係合部に係合しうる係合凹部が設けられ、前記フレーム部には係合孔部が設けられると共にボード本体には前記係合孔部に着脱可能に係合しうる係合爪部が設けられている請求項２記載の分煙ボード。
【請求項４】
前記フレーム部は、前記島設備の柱にスライド可能に当接して隣接する遊技機との間を前記ボード本体と共に遮蔽するスライド遮蔽板を有することを特徴とする請求項１記載の分煙ボード。
【請求項５】
前記フレーム本体及びスライド遮蔽板は細長板状に形成されると共に、前記スライド遮蔽板には幅方向に沿ってスライド孔部が設けられ、前記フレーム部の幅方向に沿ってスライドしうるように形成されたことを特徴とする請求項３記載の分煙ボード。
【請求項６】
前記スライド孔部はスライド遮蔽板の高さ方向に沿って複数設けられていると共に、前記フレーム本体には、前記スライド孔部にスライド可能に係合するた係合突起部が前記フレーム本体の高さ方向に沿って複数個設けられていることを特徴とする請求項５記載の分煙ボード。
【請求項７】
前記フレーム本体は、間にボード本体の端部を把持固定し得るように形成された互いに対向して配置される一対のフレーム板を有し、前記係合突起部は一方のフレーム板に設けられると共に、前記係合部は前記一対のフレーム板の間に設けられていることを特徴とする請求項３及び６記載の分煙ボード。
【発明の詳細な説明】
【技術分野】
【０００１】
本発明は、パチンコ等の遊技機が並列して配設された島設備において、遊技機間に設置され、各遊技機を仕切ってプライバシーを確保すると共に、隣接遊技者からの煙草の煙が当該遊技機エリアに流入することを防止する分煙ボードに関する。
【背景技術】
【０００２】
パチンコ等の遊技場においては十数台の遊技機が並列して配置され、一つの島設備を形成している。隣接する遊技機との間隔は狭く、各遊技者は非常に接近した状態で遊技を行うため、隣接遊技者が喫煙した場合で当該遊技者が非喫煙者の場合には、煙が自分の遊技機エリアにも流入して不快となる場合があった。
【０００３】
このような不具合を解決するため、遊技機間に設置され、各遊技機を仕切ってプライバシーを確保すると共に、隣接遊技者からの煙草の煙が自分の遊技機エリアに流入することを防止する分煙ボードが提案されている（特許文献１）。
【０００４】
図１２に示すように上記特許文献１に係る分煙ボード４０は、下端部４１ａを各遊技機４２間の前方の床面４３にボルト４４、４５で固定されると共に、上端部を上記遊技機４２の前方に配設されたテーブル部４６にボルト４７で固定された仕切り板部４８と、上記仕切り板部４８の上方に配設され、ガラス若しくはアクスル板等の合成樹脂板を使用した透明若しくは半透明の煙遮断板部４９とを備えている。
【０００５】
上記特許文献１に係る分煙ボード４０にあっては、仕切り板部４８を床面４３にボルト４７で固定する必要があるため、取り付け操作が大掛かりとなり、更に隣接する遊技機４２からの煙の流入を防止するためには、煙遮断板部４９の幅寸法を大きく確保する必要があり、大型化することから、煙遮断板部４９の装着、取り外し、持ち運び操作が非常に煩雑であるという不具合を有していた。
また、上記煙遮断板部４９は、折畳み、及び収納等ができないことから、遊技機４２が対向して配置されているような場合には、対向する遊技機４２から夫々上記煙遮断板部４９が常時前方に突出する形態となるため、隣接する遊技機のドアを開けた場合に干渉したり、遊技機を交換するために遊技機を取り外す場合に邪魔になるという不具合をも有していた。
【０００６】
従って、このような不具合を解消するために、例えば、特許文献２には、前記特許文献１の不具合を回避する観点から、略縦長長方形状に形成された分煙ボードの幅方向前端部であって上端部に回動具を取付けて遊技機盤面とに対して直角の状態のまま遊技機の前方斜め上方へ回動させて跳ね上げて配置できるように構成したものも開示されている。
【０００７】
しかしながら、このような従来の遊技機にあっては、分煙ボードのボード本体がフレーム部に固定されており、例えば、分煙ボード本体が汚れたり又は破損した場合に、分煙ボード本体を迅速に交換することは不可能であった。
また、遊技機の前方斜め上方へ跳ね上げることができるように構成されていた場合であっても、遊技機を交換する作業を行う場合にはボード本体は所定の大きさに形成されていることから、ボード本体がフレーム部に固定されたままでは作業の邪魔になる、という不具合があった。
【０００８】
また、このような従来の分煙ボードにあっては、遊技機を設置するための島を構成する什器の前面部の適宜の取付部位に回動具を固定した場合に、分煙ボードを遊技機の間に配置した場合に、分煙ボードと遊技機の前面部との間に間隙が形成されてしまう場合があり、隣接する遊技機の遊技者が喫煙した場合には、タバコの煙が当該間隙から流入し、非喫煙者である遊技者にとっては遊技の妨げになる、という不具合があった。
【特許文献１】実登３１３６４３２号公報
【特許文献２】特開２０１３−１１８９９４公報
【発明の開示】
【発明が解決しようとする課題】
【０００９】
従って、本発明は、隣接する遊技機の盤面ドアを開放した場合に干渉したり、隣接する遊技機を交換するために取り外す場合に邪魔にならず、容易に交換することができると共に、隣接する遊技機において遊技する遊技者が喫煙をした場合であっても有効にタバコの煙を確実に遮断して、非喫煙者である遊技者の遊技環境を確保することが可能な分煙ボードを提供することにある。
【課題を解決するための手段】
【００１０】
上記課題達成のため、請求項１記載の発明にあっては、複数の遊技機が並列して配設された島において遊技機間に配置され、ボード本体と、前記ボード本体を支持するフレーム部とを備え、隣接する遊技機からの煙草の煙の流入を防止すると共に必要時にはボード本体を遊技機の前方斜め上方へ回動して配置させうる分煙ボードであって、前記ボード本体は前記フレーム部に着脱可能に固定されていることを特徴とする。
【００１１】
従って、請求項１記載の発明にあっては、分煙ボードを遊技機間に配置した場合には遊技機間に配置されて隣接する遊技機との間を仕切ることができると共に、遊技機の前方斜め上方に跳ね上げて配置することもでき、必要な場合には前記ボード本体を前記フレーム部から取り外すことができる。
【００１２】
請求項２記載の発明にあっては、上記フレーム部は、前記ボード本体の前端部に固定され、遊技機の高さ方向に沿って配置されるフレーム本体と、前記フレーム本体の上端部に固定されフレーム本体を島設備に上下方向に回動可能に固定する回動固定具とを備え、前記フレーム本体は遊技機間に設けられた前記島設備の柱に近接又は当接するように構成されていることを特徴とする。
【００１３】
従って、請求項２記載の発明にあっては、分煙ボードが前記遊技機の間に配置された場合には、前記フレーム本体及びボード本体により隣接する遊技機から当該遊技機エリアを空間として分離することができ、隣接する遊技機のエリアから流入するタバコの煙の進入を防止する。
【００１４】
請求項３記載の発明にあっては、前記フレーム部には係合部が設けられると共に前記ボード本体前縁部には前記係合部に係合しうる係合凹部が設けられ、前記フレーム部には係合孔部が設けられると共にボード本体には前記係合孔部に着脱可能に係合しうる係合爪部が設けられていることを特徴とする。
【００１５】
従って、請求項３記載の発明にあっては、ボード本体は、係合凹部が前記係合部に係合することによりフレーム部に固定され、前記係合爪部を操作することによりボード本体をフレーム部から着脱することができる。
【００１６】
請求項４記載の発明にあっては、前記フレーム部は、前記島設備の柱にスライド可能に当接して隣接する遊技機との間を前記ボード本体と共に遮蔽するスライド遮蔽板を有することを特徴とする。
【００１７】
従って、請求項４記載の発明にあっては、分煙ボードを遊技機間に配置した場合には、前記スライド遮蔽板を前出させて遊技機間に設けられている島設備の柱に当接させて分煙ボードと共に隣接する遊技機との間を仕切ることができる。
【００１８】
請求項５記載の発明にあっては、前記フレーム本体及びスライド遮蔽板は細長板状に形成されると共に、前記スライド遮蔽板には幅方向に沿ってスライド孔部が設けられ、前記フレーム部の幅方向に沿ってスライドしうるように形成されたことを特徴とする。
【００１９】
請求項６記載の発明にあっては、前記スライド孔部はスライド遮蔽板の高さ方向に沿って複数設けられていると共に、前記フレーム本体には、前記スライド孔部にスライド可能に係合するた係合突起部が前記フレーム本体の高さ方向に沿って複数個設けられていることを特徴とする。
【００２０】
従って、請求項６記載の発明にあっては、スライド遮蔽板は複数の係合突起部にガイドされてスライドする。
【００２１】
請求項７記載の発明にあっては、前記フレーム本体は、間にボード本体の端部を把持固定し得るように形成された互いに対向して配置される一対のフレーム板を有し、前記係合突起部は一方のフレーム板に設けられると共に、前記係合部は前記一対のフレーム板の間に設けられていることを特徴とする。
【発明の効果】
【００２２】
請求項１〜３記載の発明にあっては、分煙ボードを複数の遊技機が並列して配設された島の遊技器間に配設した場合には分煙ボードにより隣接する遊技機との間を仕切ることができ、必要な場合には前記ボード本体を前記フレーム部から取り外すことができるように構成されていることから、ボード本体が汚れたり、破損したような場合には容易に交換することができる。
また、遊技機を交換する作業を行う場合に、ボード本体を前方斜め上方へ回動して配置させうると共に、さらに、容易にフレーム部から取り外すことができるため、遊技機の交換作業をより円滑に行うことが可能となる。
【００２３】
請求項２記載の発明にあっては、前記フレーム本体及びボード本体により隣接する遊技機から当該遊技機エリアを空間として分離することができ、隣接する遊技機のエリアから流入するタバコの煙の進入を防止することができるため、喫煙をしない遊技者は、隣接する遊技機の遊技者が喫煙者であった場合であっても快適に遊技を行うことができる。
【００２４】
また、請求項３記載の発明にあっては、前記フレーム部には係合孔部が設けられると共にボード本体には前記係合孔部に着脱可能に係合しうる係合爪部が設けられていることから、係合爪部を操作することにより、迅速にボード本体をフレーム部から取り外すことができると共にボード本体のフレーム部への取付もワンタッチで行うことができる。
【００２５】
請求項４〜７記載の発明にあっては、分煙ボードを遊技機間に配置した場合には、前記スライド遮蔽板をスライドさせて前出させることにより遊技機間に設けられている島設備の柱に当接させて分煙ボードと共に隣接する遊技機との間を仕切るように構成されていることから、ボード本体部と遊技機間に設けられた島設備の柱との間を仕切ることが可能となる。
【００２６】
その結果、遊技機の機種による分煙ボードの島設備への取付位置の相違や、島設備の形状、構成の相違により発生する、ボード本体と遊技機の間に配設される島設備の柱との間の空隙を、前記スライド遮蔽板によって仕切ることができ、遊技機の機種や島設備の形状及び構成の相違に関らず、遊技機の盤面間付近を完全に遮蔽し、隣接する遊技機の遊技者が喫煙を行った場合のタバコの煙の遊技機盤面に沿った侵入をシャットアウトし、非喫煙者の遊技者に快適な遊技環境を提供することが可能となる。
【００２７】
また、請求項１〜７記載の発明に係る遊技機は、必要時には遊技機の前方かつ斜め上方へ回動させて跳ね上げて配置することができるため、跳ね上げて配置した場合には、隣接する遊技機のドアを開放した場合であっても分煙ボードに干渉することはなく、また、隣接する遊技機を交換するために取り外す場合であっても分煙ボードが作業の邪魔になることはない。
【図面の簡単な説明】
【００２８】
【図１】本発明に係る分煙ボードの一実施の形態を示す斜視図であって、分煙ボードを回動させて跳ね上げて遊技機の前方斜め上方に配置した状態を示す図である。
【図２】本発明に係る分煙ボードの一実施の形態を示す一方側面から見た場合の斜視図である。
【図３】本発明に係る分煙ボードの一実施の形態を示す他方側面から見た場合の斜視図である。
【図４】本発明に係る分煙ボードの一実施の形態を示す側面図である。
【図５】本発明に係る分煙ボードの一実施の形態を示す側面図である。
【図６】本発明に係る分煙ボードの一実施の形態を示す側面図であって、ボード本体を示す図である。
【図７】本発明に係る分煙ボードの一実施の形態を示し、図５の7−7線断面図である。
【図８】本発明に係る分煙ボードの一実施の形態を示す側面図であって、スライド遮蔽板が後退位置にある状態を示す図である。
【図９】本発明に係る分煙ボードの一実施の形態を示す側面図であって、スライド遮蔽板が前出位置にあって、島設備を構成する柱に当接して遊技機間を仕切った状態を示す図である。
【図１０】本発明に係る分煙ボードの一実施の形態を示す一方側面から見た場合の斜視図であって、ボード本体のフレーム部への着脱構造を示す説明図である。
【図１１】本発明に係る分煙ボードの一実施の形態を示す一方側面から見た場合の斜視図であって、ボード本体をフレーム部から取り外した状態を示す説明図である。
【図１２】従来の分煙ボードを示す側面図である。
【発明を実施するための最良の形態】
【００２９】
以下、添付図面に示す実施の形態に基づき、本発明を詳細に説明する。なお、本実施の形態にあっては、フレーム部に、島設備の柱にスライド可能に当接して隣接する遊技機との間を前記ボード本体と共に遮蔽するスライド遮蔽板が設けられている場合を例に説明する。
図１に示すように、本実施の形態に係る分煙ボード１０は、複数の遊技機１３が並列して配設された島１４において遊技機１３間に配置され、ボード本体１１と前記ボード本体１１を支持するフレーム部１２とを備えており、隣接する遊技機１３ａからの煙草の煙の流入を防止すると共に必要時には遊技機１３の前方斜め上方へ回動して配置させうるように構成されている。
【００３０】
図１〜図３に示すように、前記フレーム部１２はステンレス製であって、遊技機１３と隣接する遊技機１３ａとの間に配置された場合に、遊技機１３間に設けられた島設備３４の柱１５にスライド可能に当接して隣接する遊技機１３ａとの間を前記ボード本体１１と共に遮蔽するスライド遮蔽板２０が設けられている。
【００３１】
本実施の形態にあっては、図４及び図５に示すように、ボード本体１１は、全体略縦長長方形状であって素材は塩化ビニール製であり、上縁部２４、前縁部２５及び下縁部３５は直線状に形成され、後縁部１６のみが曲線により形成されている。後縁部１６は、上半部１７が外方に膨出するように円弧状に形成されると共に、下半部１８は内方に凹むような円弧状を以て形成されており、後縁部１６の全域に亘ってモール材２６が固定されている。
【００３２】
従って、ボード本体１１がフレーム部１２に固定されて遊技機１３の間に配置された場合には、遊技者の顔に相当する後縁部１６の上半部１７は遊技者方向に突出して遊技者の顔の部分を被覆し、下半部１８は凹んで遊技者の移動等の差異の邪魔にならないようになっている。
【００３３】
また、ボード本体１１は塩化ビニール製であって型成型により作製されるため、縁部にバリの発生の可能性があることから円弧状のモール材２６を、遊技者が触れやすい後縁部１６に固定することにより遊技者が触れた場合であっても怪我をしないように配慮されている。
【００３４】
図６に示すように、ボード本体１１の前縁部２５には高さ方向に沿って３か所に固定用の係合凹部１９が設けられている。これらの係合凹部１９は、上下方向に沿って形成され下方に向かって開放された長穴であって、傾斜して形成された進入ガイド部１９ａと、進入ガイド部１９ａの端部に形成された係合部１９ｂとにより構成されている。
【００３５】
図４、図６及び図７に示すように、３つの係合凹部１９には、夫々、後述のフレーム部１２を構成する２枚のフレーム板１２ａ、１２ｂの間に設けられた３個の固定用ピン２１が係合するように構成されている。
また、ボード本体１１の第一の係合凹部１９Ｘの下方には、ボード本体１１の一般面から一部が突出配置されたストッパー片２２が設けられ、後述の一方のフレーム板１２ａに設けられた係合孔部２３に係合するように構成されている。
【００３６】
従って、ボード本体１１は、フレーム部１２への固定時には、３つの係合凹部１９にフレーム板１２ａの３個の固定用ピン２１を、進入ガイド部１９ａを介して係合部１９ｂに係合させると共に、ストッパー片２２を係合孔部２３に係合させることにより着脱可能に固定する。
【００３７】
フレーム部１２は、図１、図３及び図４に示すように、全体細長板状に形成され、前記ボード本体１１の前端部に固定され、遊技機１３の高さ方向に沿って配置されるフレーム本体２７と、前記フレーム本体２７の上端部に固定されフレーム本体２７を島設備１３に上下方向に回動可能に固定する回動固定具２８とを備えている。
【００３８】
本実施の形態にあっては、図７に示すように、フレーム本体２７は、所定間隔を置いて、内方にボード本体１１を把持固定しうるように対向して配置された一対のフレーム板１２ａ、１２ｂと、一対のフレーム板１２ａ、１２ｂの上端部に設けられた回動固定具取付部２９とを備えている。
【００３９】
本実施の形態にあっては固定回動具２８としては、いわゆるトルクヒンジが使用され、ボード本体１１に所定の力が加わった場合には回動するように構成されている。
【００４０】
上記のように、フレーム板１２ａとフレーム板１２ｂとの間には、長さ方向に沿って、ボード本体１１を固定するための３個の固定用ピン２１が等間隔に長さ方向に沿って設けられていると共に、一方のフレーム板１２ａには、図４に示すように、上記のボード本体１１に設けられたストッパー片２２が係合する係合孔部２３が、上端部において、第一の固定用ピン２１ａと第二の固定用ピン２１ｂとの間の部位に配設されている。
【００４１】
一方、図２及び図５に示すように、スライド遮蔽板２０は全体細長板状に形成され他方のフレーム板１２ｂに幅方向に沿ってスライド可能に固定されている。
【００４２】
スライド遮蔽板２０はボード本体１１と同一の長さ寸法に形成され、幅方向後端部側に幅方向に沿うスライド孔部３０が長さ方向に沿って等間隔に３つ設けられていると共に、フレーム板１２ｂにはスライド孔部３０の間隔寸法に合致するように、スライド孔部３０内に配置される係合突起部３１が外方へ突設されている。
【００４３】
以下、本実施の形態に係る分煙ボード１０の作用について説明する。
図１に示すように、本実施の形態に係る分煙ボード１０は、複数の遊技機１３が並列状態で配設された島１４において遊技機１３の間に配置され、島設備３４の上方張り出し部３２に固定されている。即ち、フレーム部１２の回動固定具取付部２９を介して上方張り出し部３２の前縁部に固定され、上方張り出し部３２から吊下されるようにして島設備３４の遊技機１３の間に配設される各柱１５の前方に高さ方向に沿って配置されている。
【００４４】
そして、回動固定具取付部２９にはトルクヒンジ２８が取り付けられていることから、遊技者や店員が所定の力を、例えば、上方に向かってボード本体１１に対して加えた場合には、図１に示すように、ボード本体１１、スライド遮蔽板２０はフレーム部１２と共に、トルククヒンジ２８を回動中心として上方へ回動し、遊技機１３の前方であってかつ斜め上方へ回動して所定の角度位置で停止して配置される。この場合、本実施の形態にあっては、分煙ボード１０は遊技機１３の上下方向に対して９０度以上に回動して停止する。
【００４５】
その結果、当該遊技機１３の右側の遊技機１３ａの調整、修理等のために遊技機１３ａのドア３３を開放した場合であっても、ドア３３が分煙ボード１０に干渉することはない。また、遊技機１３ａを、故障等の事情により取り外すような場合であっても、分煙ボード１０が交換作業の邪魔になることはない。
【００４６】
そして、分煙ボード１０を遊技機１３の間に配置した場合には、図８に示すように、島設備３４の柱１５と分煙ボード１０との間に空隙Ｓが形成されていた場合であっても、図９に示すように、スライド遮蔽板２０を適宜前出させることによりスライド遮蔽板２０を島設備３４の、遊技機１３の間に配設されている柱１５に当接させることにより、スライド遮蔽板２０及びボード本体１１により隣接する遊技機１３ａとの間を完全に仕切ることができる。
【００４７】
その結果、隣接する遊技機１３ａの遊技者が喫煙を行った場合であっても、タバコの煙が遊技機１３ａの盤面を伝わって遊技機１３ａと遊技機１３との間の柱１５を介して遊技機１３の空間へ進入する、という事態は有効に防止することができる。
【００４８】
また、図１０及び図１１に示すように、ボード本体１１が汚れた場合や、破損したような場合には、ストッパー片２２を操作することにより、ボード本体１１の一方のフレーム板１２ａへの固定を解除して、容易にフレーム部１２から取り外すことができる。その結果、ボード本体１１を迅速かつ容易に掃除したり、交換することも可能となる。
【００４９】
なお、フレーム板、スライド遮蔽板及びボード本体の具体的構成に関しては本実施の形態には限定されない。また、素材に関しても本実施の形態には限定されない。
【００５０】
また、本実施の形態にあっては、フレーム部１２に島設備３４の柱１５にスライド可能に当接して隣接する遊技機１３との間を前記ボード本体１１と共に遮蔽するスライド遮蔽板２０が設けられている場合を例に説明したが、フレーム部１２にスライド遮蔽板２０が設けられていなくてもよい。
【００５１】
即ち、島設備３４は、様々な形状及び構成のものがあり、図１に示すような上方張り出し部３２が設けられていないものもある。そのような島設備３４に対して分煙ボードを設置する場合には、スライド遮蔽板２０がフレーム部１２に設けられていなくとも、直接にフレーム部１２の前端部が柱１５に近接又は当接させることが可能となる。従って、このような場合にあっては、スライド遮蔽板２０が設けられていない状態であっても、隣接された遊技機１５との間を仕切り、遮蔽することができ、タバコの煙の進入を防止することが可能となる。
【産業上の利用可能性】
【００５２】
本発明は遊技機が設置された島設備に装着される分煙ボードに係ることから、産業上の利用可能性を有している。
【符号の説明】
【００５３】
１０  分煙ボード  
１１  ボード本体
１２  フレーム部
１２ａ  一方のフレーム板
１２ｂ  他方のフレーム板
１３  遊技機
１４  島設備
１５  柱
１６  後縁部
１７  上半部
１８  下半部
１９  係合凹部
１９ａ  進入ガイド部
１９ｂ  係合部
１９ｘ  第一の係合部
２０  スライド遮蔽板  
２１  固定用ピン
２２  ストッパー片
２３  係合孔部
２４  上縁部
２５  前縁部
２６  モール材
２７  フレーム本体
２８  回動固定具
２９  回動固定具取付部
３０  スライド孔部
３１  係合突起部  
３２  上方張り出し部
３３  ドア
３５  下縁部
４０  分煙ボード
４１ａ  下端部  
４２  遊技機
４３  床面
４４  ボルト
４５  ボルト
４６  テーブル部
４７  ボルト
４８  仕切板部
４９  煙遮断板部
【図１】
2016112347.tif 000003
【図２】
2016112347.tif 000004
【図３】
2016112347.tif 000005
【図４】
2016112347.tif 000006
【図５】
2016112347.tif 000007
【図６】
2016112347.tif 000008
【図７】
2016112347.tif 000009
【図８】
2016112347.tif 000010
【図９】
2016112347.tif 000011
【図１０】
2016112347.tif 000012
【図１１】
2016112347.tif 000013
【図１２】
2016112347.tif 000014